(57)【要約】【課題】  ウェブサイトの更新情報を予め指定された宛先に配信できるようにする。【解決手段】  Ｗｅｂフィード監視部４が、予め指定されたウェブサイトの更新状況を予め指定された条件に基づいて監視し、配信管理ツール部１０が、Ｗｅｂフィード監視部４による監視によって上記指定されたウェブサイトが更新されたことを確認すると、Ｗｅｂフィード監視部４によって取得した上記指定されたウェブサイトの更新フィード情報を記憶部３に監視履歴情報として記憶して保存し、文書配信サーバ部５，通信部９を介して上記保存された更新フィード情報を予め指定された配信先へ配信する。【選択図】        図１
2009070127.tif 000002
【特許請求の範囲】
【請求項１】
文書データを配信する文書配信装置において、
指定されたウェブサイトの更新状況を予め指定された条件に基づいて監視する手段と、該手段による監視によって前記指定されたウェブサイトが更新されたことを確認すると、前記指定されたウェブサイトの更新フィード情報を取得して保存する手段と、該手段によって保存された更新フィード情報を予め指定された配信先へ配信する手段とを設けたことを特徴とする文書配信装置。
【請求項２】
前記更新フィード情報中に含まれる画像データを予め指定された画像形式に変換する手段を設けたことを特徴とする請求項１記載の文書配信装置。
【請求項３】
前記保存された更新フィード情報を予め指定された保存期間が経過したら削除する手段を設けたことを特徴とする請求項１又は２記載の文書配信装置。
【請求項４】
前記指定を行えるユーザの認証を行う手段を設けたことを特徴とする請求項１乃至３のいずれか一項に記載の文書配信装置。
【請求項５】
前記認証を、複数種類の認証の中から選択する手段を設けたことを特徴とする請求項４記載の文書配信装置。
【請求項６】
前記監視対象に指定するウェブサイトを検索する手段を設けたことを特徴とする請求項１乃至５のいずれか一項に記載の文書配信装置。
【請求項７】
前記配信が失敗したとき、予め指定された宛先に通知する手段を設けたことを特徴とする請求項１乃至６のいずれか一項に記載の文書配信装置。
【請求項８】
前記条件は、監視間隔、監査先情報、配信先情報を含むことを特徴とする請求項１乃至７のいずれか一項に記載の文書配信装置。
【請求項９】
前記指定された配信先は、予め管理されている複数の配信先の中から指定された配信先であることを特徴とする請求項１乃至８のいずれか一項に記載の文書配信装置。
【請求項１０】
文書データを配信する文書配信システムにおいて、
指定されたウェブサイトの更新状況を予め指定された条件に基づいて監視する手段と、該手段による監視によって前記指定されたウェブサイトが更新されたことを確認すると、前記指定されたウェブサイトの更新フィード情報を取得して保存する手段と、該手段によって保存された更新フィード情報を予め指定された配信先へ配信する手段とを設けたことを特徴とする文書配信システム。
【請求項１１】
文書データを配信する文書配信方法において、
指定されたウェブサイトの更新状況を予め指定された条件に基づいて監視する工程と、該工程による監視によって前記指定されたウェブサイトが更新されたことを確認すると、前記指定されたウェブサイトの更新フィード情報を取得して保存する工程と、該工程によって保存された更新フィード情報を予め指定された配信先へ配信する工程とからなることを特徴とする文書配信方法。
【請求項１２】
コンピュータに、指定されたウェブサイトの更新状況を予め指定された条件に基づいて監視する手順と、該手順による監視によって前記指定されたウェブサイトが更新されたことを確認すると、前記指定されたウェブサイトの更新フィード情報を取得して保存する手順と、該手順によって保存された更新フィード情報を予め指定された配信先へ配信する手順とを実行させるためのプログラム。
【請求項１３】
請求項１２記載のプログラムを記録したコンピュータ読み取り可能な記録媒体。
【発明の詳細な説明】
【技術分野】
【０００１】
この発明は、コンピュータ、ファクシミリ装置、プリンタ、複写機、複合機（ＭＦＰ）を含む文書配信装置と文書配信システムと文書配信方法とプログラムとコンピュータ読み取り可能な記録媒体に関する。
【背景技術】
【０００２】
従来、入力手段によって各種の画像データを入力し、その入力した画像データを指定された出力手段によって宛先へ配信する文書配信システム（例えば、特許文献１参照）があった。
【特許文献１】特開２００３−１７４５３９号公報
【発明の開示】
【発明が解決しようとする課題】
【０００３】
しかしながら、従来の技術では、ウェブ（Ｗｅｂ）サイトにアクセスし、そのウェブサイトの更新情報（ＲＳＳ）を取得し、指定された宛先に配信することができないという問題があった。
この発明は上記の点に鑑みてなされたものであり、ウェブサイトの更新情報を予め指定された宛先に配信できるようにすることを目的とする。
【課題を解決するための手段】
【０００４】
この発明は上記の目的を達成するため、次の文書配信装置と文書配信システムと文書配信方法とプログラムとコンピュータ読み取り可能な記録媒体を提供する。
（１）文書データを配信する文書配信装置において、指定されたウェブサイトの更新状況を予め指定された条件に基づいて監視する手段と、その手段による監視によって上記指定されたウェブサイトが更新されたことを確認すると、上記指定されたウェブサイトの更新フィード情報を取得して保存する手段と、その手段によって保存された更新フィード情報を予め指定された配信先へ配信する手段を設けた文書配信装置。
（２）上記のような文書配信装置において、上記更新フィード情報中に含まれる画像データを予め指定された画像形式に変換する手段を設けた文書配信装置。
（３）上記のような文書配信装置において、上記保存された更新フィード情報を予め指定された保存期間が経過したら削除する手段を設けた文書配信装置。
【０００５】
（４）上記のような文書配信装置において、上記指定を行えるユーザの認証を行う手段を設けた文書配信装置。
（５）上記のような文書配信装置において、上記認証を、複数種類の認証の中から選択する手段を設けた文書配信装置。
（６）上記のような文書配信装置において、上記監視対象に指定するウェブサイトを検索する手段を設けた文書配信装置。
（７）上記のような文書配信装置において、上記配信が失敗したとき、予め指定された宛先に通知する手段を設けた文書配信装置。
（８）上記のような文書配信装置において、上記条件は、監視間隔、監査先情報、配信先情報を含む文書配信装置。
（９）上記のような文書配信装置において、上記指定された配信先は、予め管理されている複数の配信先の中から指定された配信先である文書配信装置。
【０００６】
（１０）文書データを配信する文書配信システムにおいて、指定されたウェブサイトの更新状況を予め指定された条件に基づいて監視する手段と、その手段による監視によって上記指定されたウェブサイトが更新されたことを確認すると、上記指定されたウェブサイトの更新フィード情報を取得して保存する手段と、その手段によって保存された更新フィード情報を予め指定された配信先へ配信する手段を設けた文書配信システム。
（１１）文書データを配信する文書配信方法において、指定されたウェブサイトの更新状況を予め指定された条件に基づいて監視する工程と、その工程による監視によって上記指定されたウェブサイトが更新されたことを確認すると、上記指定されたウェブサイトの更新フィード情報を取得して保存する工程と、その工程によって保存された更新フィード情報を予め指定された配信先へ配信する工程とからなる文書配信方法。
【０００７】
（１２）コンピュータに、指定されたウェブサイトの更新状況を予め指定された条件に基づいて監視する手順と、その手順による監視によって上記指定されたウェブサイトが更新されたことを確認すると、上記指定されたウェブサイトの更新フィード情報を取得して保存する手順と、その手順によって保存された更新フィード情報を予め指定された配信先へ配信する手順とを実行させるためのプログラム。
（１３）上記のようなプログラムを記録したコンピュータ読み取り可能な記録媒体。
【発明の効果】
【０００８】
この発明による文書配信装置と文書配信システムと文書配信方法は、ウェブサイトの更新情報を予め指定された宛先に配信することができる。
また、この発明によるプログラムは、コンピュータに、ウェブサイトの更新情報を予め指定された宛先に配信できるようにするための機能を実現させることができる。
さらに、この発明のコンピュータ読み取り可能な記録媒体は、コンピュータに上記プログラムを容易に導入することができる。
【発明を実施するための最良の形態】
【０００９】
以下、この発明を実施するための最良の形態を図面に基づいて具体的に説明する。
〔実施例〕
図１は、この発明の一実施例である文書配信装置の機能構成を示すブロック図である。
この文書配信装置は、コンピュータ、ファクシミリ装置、プリンタ、複写機、複合機（ＭＦＰ）を含む装置であり、キーボードを含む入力装置の入力部１と、ＬＣＤを含む表示装置の表示部２と、ハードディスク装置を含む記憶装置である記憶部３と、ＣＰＵ，ＲＯＭ及びＲＡＭからなるマイクロコンピュータによって実現される各種の機能部であるウェブ（Ｗｅｂ）フィード（Ｆｅｅｄ）監視部４、文書配信サーバ部５、検索エンジン部６、画像変換部７、認証ツール部８、通信部９及び配信管理ツール部１０を備えている。
【００１０】
この文書配信装置は、文書配信サーバ部５が記憶部３に記憶されている文書データを、予め登録されている配信先へ通信部９を介して配信する処理を行うが、その処理については公知なので、詳しい説明を省略する。
また、この文書配信装置は、この発明に係るウェブサイト最新情報配信処理を行う。
なお、上記入力部１と上記表示部２に代えて、各種の操作画面や情報を表示する画面上にタッチすると各種の情報を入力できるタッチパネルを含む操作表示部にしてもよい。
【００１１】
次に、この文書配信装置における設定作業時の処理について説明する。
まず、ユーザは入力部１からウェブサイト最新情報配信の設定指示を入力する。
配信管理ツール部１０は、入力部１からウェブサイト最新情報配信の設定指示が入力されると、ウェブサイト最新情報配信設定処理を起動し、監視対象のウェブサイトの指定と、監視間隔と、配信先を指定する画面を表示する。
【００１２】
１．監視対象のウェブサイトの設定
まず、上記指定画面において、ユーザは入力部１から監視対象のウェブサイトのアドレス（監視先情報）を直接入力してもよいし、検索画面を呼び出してインターネット上から監視対象のウェブサイトを検索して指定入力してもよい。
配信管理ツール部１０は、入力部１から直接入力された監視対象のウェブサイトのアドレスを、監視時条件情報として記憶部３に記憶する。
【００１３】
また、監視対象のウェブサイトを検索して指定する場合、図２のフローチャート図に示すように、監視対象のウェブサイトの指定の際、ユーザ操作による入力部１からのウェブサイトの検索画面の呼び出しの指示を入力すると（ステップ（図中「Ｓ」で示す）１）、配信管理ツール部１０は、表示部２にウェブサイトの検索画面を表示し（Ｓ２）、ユーザ操作による検索画面に対しての入力部１からの監視対象のウェブサイトのキーワードを入力すると（Ｓ３）、配信管理ツール部１０は、入力部１から入力されたキーワードを検索エンジン部６へ送り、検索エンジン部６は、通信部９を介してインターネット上から上記キーワードに係るウェブサイトを検索し（Ｓ４）、その検索結果を配信管理ツール部１０へ送り、配信管理ツール部１０は、表示部２に検索結果として一覧表示する（Ｓ５）。
ユーザ操作による入力部１からの上記一覧表示中から監視対象のウェブサイトの選択を入力すると（ここで選択されるウェブサイトは１つでもよいし、複数でも良い）（Ｓ６）、配信管理ツール部１０は、その選択された監視対象のウェブサイトのアドレスを、監視時条件情報として記憶部３に記憶する（Ｓ７）。こうして、監視対象のウェブサイトの設定を終了する。
【００１４】
２．監視間隔の設定
次に、上記監視対象として指定されたウェブサイトの更新状況をチェックする監視間隔の時間情報（又は時刻情報）を設定する。
この設定では、図３のフローチャート図に示すように、ユーザによる入力部１からの監視間隔として、監視開始からの時間間隔（例えば、３０分、１時間）や、時刻（例えば、１０時から開始して正時毎に、又は正時の３０分毎に）を入力すると（Ｓ１１）、配信管理ツール部１０は、その入力された監視間隔を記憶部３に記憶されている上記指定された監視対象のウェブサイトのアドレスに対応させて記憶する（Ｓ１２）。こうして、監視間隔の設定を終了する。
【００１５】
３．配信先の設定
次に、上記監視対象として指定されたウェブサイトを上記監視間隔で監視したときに内容が更新されていた場合に、そのウェブサイトのＲＳＳの更新フィード情報を取得して配信又は更新されていることを通知する配信先情報を設定する。
このＲＳＳとは、ウェブサイトの更新状況の概要である更新フィード情報を記述したものであり、その更新フィード情報には、タイトルやリンク先などがある。
この設定では、ユーザは入力部１から配信先のアドレスを直接入力してもよいし、記憶部３に予め記憶されている複数の配信先のアドレスの一覧である配信先情報から選択入力してもよい。
配信管理ツール部１０は、入力部１から直接入力された配信先のアドレスを、記憶部３に記憶されている上記指定された監視対象のウェブサイトのアドレスと監視間隔とに対応させて記憶する。
【００１６】
また、予め記憶されている複数の配信先のアドレスの中から選択して指定する場合、図４のフローチャート図に示すように、配信先の指定の際、ユーザによる入力部１からの配信先一覧の呼び出しの指示を入力すると（Ｓ２１）、配信管理ツール部１０は、記憶部３に記憶されている配信先一覧情報を読み出し（Ｓ２２）、表示部２に配信先一覧情報に基づく複数の配信先のアドレスの一覧を表示し（Ｓ２３）、ユーザによる入力部１からの上記一覧表示中の配信先を１つ又は複数選択を入力すると（Ｓ２４）、配信管理ツール部１０は、その選択された配信先のアドレスを、記憶部３に記憶されている上記指定された監視対象のウェブサイトのアドレスと監視間隔とに対応させて記憶する（Ｓ２５）。こうして、配信先の設定を終了する。
【００１７】
４．監視履歴情報の保存期間の設定
次に、上記監視対象として指定されたウェブサイトを上記監視間隔で監視したときに内容が更新されていた場合にウェブサイトの更新フィード情報を取得して上記配信先へ配信すると共に、その取得した更新フィード情報を監視履歴情報として全て記憶部３に記憶して保存するようにした場合、その保存期間を設定するようにしても良い。
すなわち、更新された更新フィード情報を保存するときに、それまでに保存されていた監視履歴情報のうち、予め設定した保存期間が経過した監視履歴情報を記憶部３から削除するようにすれば、記憶部３に古いデータを蓄積したまま記憶容量を浪費することなく、記憶部３の容量を節約することができる。
【００１８】
この設定では、図５のフローチャート図に示すように、ユーザによる入力部１からの監視履歴情報の保存期間として、保存開始からの時間間隔（例えば、３０分、１時間）や、時刻（例えば、１０時から開始して正時毎に、又は正時の３０分毎に）を入力すると（Ｓ３１）、配信管理ツール部１０は、その入力された保存期間の情報を記憶部３に記憶されている上記指定された監視対象のウェブサイトのアドレスと監視間隔と配信先に対応させて記憶する（Ｓ３２）。こうして、監視履歴情報の保存期間の設定を終了する。
【００１９】
５．画像保存形式の設定
次に、上記監視対象として指定されたウェブサイトの更新フィード情報に画像データが含まれていた場合にその画像データを保存する際の保存形式（例えば、ＪＰＥＧ，ＧＩＦ，ビットマップ）を選択するようにしても良い。
この設定では、図６のフローチャート図に示すように、ユーザによる入力部１からの画像の保存形式の設定の指示を入力すると（Ｓ４１）、配信管理ツール部１０は、表示部２に画像の保存形式の一覧の設定画面を表示し（Ｓ４２）、ユーザによる上記画像の保存形式の設定画面に対しての入力部１からの複数の保存形式の中から１つの選択を入力すると（Ｓ４３）、配信管理ツール部１０は、その入力された保存形式の情報を記憶部３に記憶されている上記指定された監視対象のウェブサイトのアドレスと監視間隔と配信先に対応させて記憶する（Ｓ４４）。こうして、画像保存形式の設定を終了する。
【００２０】
６．配信エラー通知の設定
次に、上記監視対象として指定されたウェブサイトを上記監視間隔で監視したときに内容が更新されていた場合にウェブサイトの更新フィード情報を取得して上記配信先へ配信したとき、その配信が失敗した場合に予め指定した宛先（通知先）にエラー通知をするようにしても良い。
この設定では、図７のフローチャート図に示すように、ユーザによる入力部１からの配信エラー通知の設定の指示を入力すると（Ｓ５１）、配信管理ツール部１０は、表示部２に設定画面を表示し（Ｓ５２）、ユーザによる上記設定画面に対しての入力部１からの通知先のアドレスを入力（又は配信先の一覧表示から選択入力）すると（Ｓ５３）、配信管理ツール部１０は、その入力された通知先のアドレスを記憶部３に記憶されている上記指定された監視対象のウェブサイトのアドレスと監視間隔と配信先に対応させて記憶する（Ｓ５４）。こうして、配信エラー通知の設定を終了する。
【００２１】
この通知先は、通常は上記配信先であるので、上記指定された監視対象のウェブサイトのアドレスと監視間隔と配信先に対応させて、配信エラーを通知する識別情報を記憶するようにしてもよい。また、配信先と異なる通知先（例えば、管理者の端末装置のアドレス）に通知する場合、ユーザによって入力された通知先のアドレス、又は予め登録されている配信先の中からユーザによって選択された配信先のアドレスを登録する。
【００２２】
７．認証の設定
次に、上述の設定について行えるユーザ認証を行うようにしても良い。
まず、予め設定された認証方法で認証を行う場合、認証ツール部８に、予めその認証方法で認証を行う設定がされ、上記ウェブサイト最新情報配信のための設定作業を行えるユーザの認証情報が登録されている。
【００２３】
そして、ユーザが入力部１から認証情報（例えば、ユーザＩＤとパスワード）を入力すると、配信管理ツール部１０は、その入力された認証情報を認証ツール部８に送り、認証ツール部８は予め登録されている認証情報と上記入力された認証情報とを照合して、一致したら認証ＯＫの通知を配信管理ツール部１０へ送り、一致しなければ認証ＮＧの通知を配信管理ツール部１０へ送る。配信管理ツール部１０は、認証ＯＫと確認したら上記設定画面の表示又は入力を可能にし、認証ＮＧと確認したら上記設定画面の表示をしないようにしたり、上記設定画面への入力を不可能にする。
【００２４】
また、上記設定を入力した後に認証を行う場合、上記設定が済んだ後に、その設定入力された各情報はメモリに一時的に記憶するようにし、図８のフローチャート図に示すように、配信管理ツール部１０は、表示部２に認証情報の入力画面を表示して認証情報の入力を促し（Ｓ６１）、入力部１から入力された認証情報に基づいて上述のように認証を行い（Ｓ６２）、認証ＯＫか認証ＮＧかを確認し（Ｓ６３）、認証ＯＫなら、上記設定された各情報を記憶部３に記憶するようにし（Ｓ６４）、認証ＮＧなら、上記設定された各情報を無効にし、ユーザによる再設定を行わせるようにする（Ｓ６５）。こうして、認証の設定を終了する。
なお、認証ＮＧのときは、認証情報の再入力を促し、予め設定した回数の再入力でも、認証ＯＫになる認証情報の入力がなかった場合には上記設定された各情報を無効にするようにしてもよい。
【００２５】
さらに、認証ツール部８に、予め複数種類の認証方法が登録されており、ユーザがその各認証方法の中からいずれかを選択する指示を入力すると、認証ツール部８は、その選択された認証方法で認証を行うようにしても良い。
【００２６】
次に、この文書配信装置におけるウェブサイト最新情報配信処理について説明する。
図９は、この文書配信装置におけるウェブサイト最新情報配信処理を示すフローチャート図である。
上述のウェブサイト最新情報配信設定処理が済んだ後、ウェブサイト最新情報配信処理を起動すると、配信管理ツール部１０は、記憶部３に記憶されている監視時条件情報に基づいて、上記指定された監視対象のウェブサイトのアドレスに対応する上記監視間隔毎に、Ｗｅｂフィード監視部４に、上記指定された監視対象のウェブサイトのアドレスを通知し、Ｗｅｂフィード監視部４は、通信部９を介してインターネット上の上記ウェブサイトのアドレスにアクセスし、そのサイトのＲＳＳから更新フィード情報を取得し（Ｓ７１）、その更新フィード情報に基づいてウェブサイトが更新されているか否かを判断し（Ｓ７２）、更新されていれば、その通知又は更新されたウェブサイトの更新フィード情報を配信管理ツール部１０へ送る。
【００２７】
配信管理ツール部１０は、Ｗｅｂフィード監視部４からの通知に基づいて、上記指定されたウェブサイトが更新されていないことを確認すると、上述の処理を繰り返し、上記指定されたウェブサイトが更新されたことを確認すると、配信先へ更新されたことを示す更新情報のみを通知する場合は、更新されたことを示す識別情報のみを、また、更新されたウェブサイトの更新フィード情報を配信する場合はＷｅｂフィード監視部４から送られたウェブサイトの更新フィード情報を更新履歴情報として記憶部３に記憶して保存する（Ｓ７３）。
このウェブサイトの更新フィード情報の記憶の際、配信管理ツール部１０は、更新フィード情報に画像データが含まれていた場合、上記設定で保存形式が指定されていれば、上記画像データを画像変換部７へ送り、画像変換部７は上記指定された保存形式の画像に変換して、配信管理ツール部１０へ送る。そして、配信管理ツール部１０は、上記更新フィード情報に変換後の画像データを含めて記憶部３に更新履歴情報として記憶する。
【００２８】
この記憶部３に記憶された更新履歴情報は、上記設定で保存期間が設定された場合、配信管理ツール部１０が、新たな更新フィード情報を記憶するとき、その更新履歴情報に対して設定された保存期間が過ぎているか否かを判断し、過ぎていたら、記憶部３から削除する処理を行う。したがって、更新履歴情報として、上記保存期間内に更新された各更新フィード情報のみを保存する。
【００２９】
そして、配信管理ツール部１０は、記憶部３の監視時条件情報に基づいて、配信先のアドレスを取得し、文書配信サーバ部５に配信先のアドレスを送り、文書配信サーバ部５は、通信部９を介してインターネット上の上記配信先のアドレスへウェブサイトが更新されたことを示す更新情報を通知、又は、配信先のアドレスに対応する最新の更新フィード情報を記憶部３から取得し、通信部９を介してインターネット上の上記配信先のアドレスへ更新フィード情報を配信する（Ｓ７４）。
このようにして、文書配信装置によって、予め指定された監視対象のウェブサイトについて、内容が更新された更新フィード情報を定期的に所望の配信先へ自動的に配信することができる。
【００３０】
上記配信の際、配信管理ツール部１０は、文書配信サーバ部５から配信に失敗した通知があった場合、記憶部３の上記配信先に登録されている配信失敗時の通知先のアドレスを読み出して文書配信サーバ部５へ通知し、文書配信サーバ部５は、その通知先のアドレスへ配信失敗を知らせるエラーメッセージを通知する。
また、配信管理ツール部１０は、配信に失敗した更新情報、又は更新フィード情報を配信失敗データとして記憶部３の監視履歴情報とは異なる領域に記憶するようにして再配信に備えるようにしても良い。
【００３１】
上述の説明では、文書配信装置の実施例について説明したが、この文書配信装置を、外部装置（例えば、ＭＦＰ）に接続した文書配信システムにしても上述と同様にして実施することができる。
【産業上の利用可能性】
【００３２】
この発明による文書配信装置と文書配信システムと文書配信方法とプログラムとコンピュータ読み取り可能な記録媒体は、コンピュータ、ファクシミリ装置、プリンタ、複写機、複合機（ＭＦＰ）を含む装置全般に適用することができる。
【図面の簡単な説明】
【００３３】
【図１】この発明の一実施例である文書配信装置の機能構成を示すブロック図である。
【図２】図１に示す文書配信装置における監視対象のウェブサイトの設定処理を示すフローチャート図である。
【図３】図１に示す文書配信装置における監視間隔の設定処理を示すフローチャート図である。
【図４】図１に示す文書配信装置における配信先の設定処理を示すフローチャート図である。
【図５】図１に示す文書配信装置における監視履歴情報の保存期間の設定処理を示すフローチャート図である。
【００３４】
【図６】図１に示す文書配信装置における画像保存形式の設定処理を示すフローチャート図である。
【図７】図１に示す文書配信装置における配信エラー通知の設定処理を示すフローチャート図である。
【図８】図１に示す文書配信装置における認証の設定処理を示すフローチャート図である。
【図９】図１に示す文書配信装置におけるウェブサイト最新情報配信処理を示すフローチャート図である。
【符号の説明】
【００３５】
１：入力部    ２：表示部    ３：記憶部    ４：Ｗｅｂフィード監視部    ５：文書配信サーバ部    ６：検索エンジン部    ７：画像変換部    ８：認証ツール部    ９：通信部    １０：配信管理ツール部
【図１】
2009070127.tif 000003
【図２】
2009070127.tif 000004
【図３】
2009070127.tif 000005
【図４】
2009070127.tif 000006
【図５】
2009070127.tif 000007
【図６】
2009070127.tif 000008
【図７】
2009070127.tif 000009
【図８】
2009070127.tif 000010
【図９】
2009070127.tif 000011